(57)【特許請求の範囲】
【請求項１】
パイプ形状またはチューブ形状の物体を締結するためのクリップ（１）であって、
該クリップ（１）は、その第１端の第１のレッグおよびその第２端の第２のレッグを有するクリップ・バンド（２）を備え、
該クリップ・バンド（２）がクランプ状態にあるとき、前記レッグは、互いに隣接し、レッグ対（３）を形成し、
前記クリップ（１）は、受容部（７）を有するクリップ要素（４）を備え、前記クリップ・バンド（２）がクランプ状態にあるとき、前記レッグ対（３）は、前記受容部（７）内に挿入可能であり、
前記クリップ要素（４）は、前記受容部（７）内の前記レッグ対（３）にラッチ係合可能であり、
前記クリップ要素（４）は、前記クリップを構成要素に固定するための固定空間（６）を有する固定部（５）を有し、
前記受容部（７）は、前記レッグ対（３）を受容するための受容空間（８）を有する、クリップ（１）。
【請求項２】
前記クリップ要素（４）の前記受容部（７）は、ベース面（９）、ラッチング・フック（１０）および挿入開口（１１）を有し、
前記受容部（７）の前記ベース面（９）の長辺上にガイド要素（１３）が形成される、請求項１に記載のクリップ（１）。
【請求項３】
前記ガイド要素（１３）は、互いの方を指すように直角に屈曲する自由端（１４）を有する、請求項２に記載のクリップ（１）。
【請求項４】
前記ガイド要素（１３）の前記自由端（１４）および前記受容部（７）の前記ベース面（９）は、前記受容空間（８）を形成する、請求項３に記載のクリップ（１）。
【請求項５】
前記ラッチング・フック（１０）は、前記受容空間（８）内に導かれ、特に、第１の舌要素（１２）は、前記受容空間（８）から離れるように導かれる、請求項２から４のいずれかに記載のクリップ（１）。
【請求項６】
前記クリップ要素（４）の前記固定部（５）は、少なくとも１つのタブ（１６）および特に第２の舌要素（１５）を有する、請求項２から５のいずれかに記載のクリップ（１）。
【請求項７】
前記少なくとも１つのタブ（１６）は、前記固定空間（６）の方向に配向され、前記第２の舌要素（１５）は、存在する場合、前記固定空間（６）から離れる方向に配向される、請求項６に記載のクリップ（１）。
【請求項８】
前記固定部（５）および前記受容部（７）が実質的に平行にかつ互いに隣接して配置されるように、前記固定部（５）と前記受容部（７）との間に前記クリップ要素（４）がＵ形状に形成される、請求項１から７のいずれかに記載のクリップ（１）。
【請求項９】
前記固定空間（６）は、前記固定部（５）の前記ベース面（９）と、前記受容部（７）の前記ガイド要素（１３）の前記自由端（１４）と、の間に形成される、請求項３または４に記載のクリップ（１）。
【請求項１０】
前記少なくとも１つのタブ（１６）は、前記固定部（５）の前記ベース面（９）上に配置される、請求項６または７に記載のクリップ（１）。
【請求項１１】
前記クリップ要素（４）の前記固定部（５）は、ベース・レッグ（１８）および外側レッグ（１９）を有するＵ形状の囲い（１７）として形成される、請求項６または７に記載のクリップ（１）。
【請求項１２】
前記固定空間（６）は、前記外側レッグ（１９）および前記ベース・レッグ（１８）によって形成される、請求項１１に記載のクリップ（１）。
【請求項１３】
前記ベース・レッグ（１８）および前記外側レッグ（１９）は、前記Ｕ形状の囲い（１７）の領域よりも、前記固定空間（６）の領域において、近くに位置する、請求項１１または１２に記載のクリップ（１）。
【請求項１４】
前記少なくとも１つのタブ（１６）は、前記固定部（５）の前記外側レッグ（１９）上に配置される、請求項１１から１３のいずれかに記載のクリップ（１）。
【発明の詳細な説明】
【技術分野】
【０００１】
本発明は、クリップに関するものであり、クリップは、その第１端の第１のレッグおよびその第２端の第２のレッグを有するクリップ・バンドを有し、クリップ・バンドがクランプ状態にあるとき、レッグは、互いに隣接し、レッグ対を形成し、クリップは、受容部を有するクリップ要素を備え、クリップ・バンドがクランプ状態にあるとき、レッグ対は、受容部内に挿入可能である。
【０００２】
本発明の主な特徴は、メインクレームの特徴部分において与えられる。実施形態は、請求項２から１５の特徴事項である。
【背景技術】
【０００３】
特許文献１は、パイプ形状またはチューブ形状の物体を基材に固定するためのクリップに関するものであり、クリップは、クリップ・ケースを有し、第１のレッグは、クリップ・ケースの第１端から外向きに突出し、第２のレッグは、クリップ・ケースの他端から外向きに突出し、クリップが閉鎖状態にあるとき、レッグは、互いに隣接する。開放状態では、第１のレッグは、第２のレッグの方向に突出する少なくとも１つのタブを有し、第２のレッグは、タブとタブの反対の第１のレッグの隣接領域との間のギャップ内に挿入可能な固定部を有する。閉鎖状態では、タブは、第１のレッグから反対側を向く固定部の外側に塑性的に屈曲し、それによって、２つのレッグは、互いに対して保持される。次に、クリップは、例えば、両レッグの貫通開口を通り、所望の構成要素にねじ留めされるねじによって決定的に固定される。
【０００４】
この周知の解決法は、原則として満足できる。しかしながら、クリップの単純かつ迅速な固定に関して改良の余地があることが分かってきた。
【先行技術文献】
【特許文献】
【０００５】
【特許文献１】独国特許発明第１０２００６０２０４０７号明細書
【発明の概要】
【０００６】
本発明の目的は、現在、パイプ形状またはチューブ形状の物体の容易な固定を可能にするクリップを提供することである。従来技術の欠点は解消される。特に、固定は、追加の固定手段なしで可能である。
【０００７】
上述した目的は、請求項１の特徴を有するクリップによって達成される。有利な実施形態は、請求項２から１５において開示される。
【０００８】
パイプ形状またはチューブ形状の物体を締結するためのクリップにおいて、クリップは、その第１端の第１のレッグおよびその第２端の第２のレッグを有するクリップ・バンドを備え、クリップ・バンドがクランプ状態にあるとき、レッグは、互いに隣接し、レッグ対を形成し、本発明によると、クリップは、受容部を有するクリップ要素を備え、クリップ・バンドがクランプ状態にあるとき、レッグ対は、受容部内に挿入可能であり、クリップ要素は、ラッチング機構によって受容部内のレッグ対にラッチ係合可能であるようになっている。この有利な実施形態は、クリップ上のクリップ要素の簡単な配置を可能にし、同時に、クリップ要素は、クリップの望ましくない開放を防止する。このように、特に、ラッチング機構は、例えばねじまたはクランプのようなさらなる固定要素を省略できることを意味する。クリップ要素は、形状嵌めによって少なくとも部分的にレッグ対を囲むことができ、それゆえ、受容部内に挿入されたレッグを確実に一緒に保持することができる。長い耐用年数の間、クリップ要素は、有利には、比較的硬く、耐荷重能力を有するように形成され、それのために、例えば金属または同等のプラスチックでできていてもよい。
【０００９】
好ましくは、クリップ要素が、クリップを構成要素に固定するための固定空間を有する固定部を有し、受容部が、レッグ対を受容するための受容空間を有するようになっている。このようにして単純な方法で形成されるクリップ要素は、所望の構成要素、例えば車体または支持部材にクリップを確実に取り付けることができる。特に、固定空間および受容空間は、クリップ要素の単純な取り扱いを可能にし、ツールを用いることなく、クリップ要素をクリップに取り付け、クリップ要素を構成要素に固定することができる。なぜなら、レッグは、受容空間内に挿入され、例えば突出するタブのような構成要素の少なくとも部分は、固定空間内に導入され、固定空間内では、ラッチ係合および／または押し嵌め（ｆｏｒｃｅ  ｆｉｔ）によって保持されるからである。このように、クリップは、ツールを用いることなく、チューブ形状またはパイプ形状の物体の周りでクランプ可能であり、さらなる構成要素に取り付け可能である。
【００１０】
有利な改良は、クリップ要素の受容部が、ベース面、ラッチング・フックおよび挿入開口を有し、場合によっては第１の舌要素を有し、ガイド要素が、受容部のベース面の長辺上に形成されるようにする。ベース面は、例えば、レッグ対を少なくとも部分的に覆うことができる一体の金属またはプラスチックのプレートによって形成される。任意選択の舌要素およびガイド要素は、同一材料を有するベース面上に配置されてもよい、すなわち、ベース面と一体的に形成されてもよい。本発明によるこの改良は、受容部の高い安定性および製造の容易さを保証する。第１の舌要素は、存在する場合、レッグ対を受容部または受容空間内に挿入するのを容易にするように提供される。ここで、ガイド要素は、第１に、レッグ対をラッチング機構にガイドするように、第２に、レッグ対を受容部内に横方向に固定するように機能する。このようにして構成される受容部によって、クリップ要素は、適切に形状嵌めによってレッグ対を受容することができる。
【００１１】
特定の利点は、ガイド要素が自由端を有し、自由端が互いの方を指すように直角に屈曲するという事実から生ずる。ガイド要素は、自由端および受容部のベース面とともに受容空間を形成する。ガイド要素のこの形状は、クリップ要素の受容空間が、受容部のベース面から反対側を向く辺上を含む少なくとも部分的にすべての辺上でレッグ対を囲むことができることを意味する。この実施形態は、クリップ要素をレッグ対に形状嵌めで固定するのを確実にする。
【００１２】
さらなる実施形態によれば、ラッチング・フックは、受容空間内に導かれる。任意選択の第１の舌要素は、受容空間から離れるように配向されてもよい。ラッチング・フックは、同一材料を有するベース面に接続されてもよく、特に、ラッチング・フックは、部分的なカットアウトとしてベース面から折り曲げられ、受容空間内に突出する。このようにして形成されるラッチング・フックは、受容空間内に受容されるレッグ対の相補的なラッチング形状とともに、単純な方法で、追加パーツを必要とせずラッチング機構を形成する、という利点を有する。相補的なラッチング形状は、特に、ラッチング・タブまたはカットアウトという形状をとる。ラッチング機構は、例えばねじ、クランプ等のような追加の固定手段を必要とせず、クリップをクリップ要素に迅速に、単純にかつ確実に固定することを保証する。場合によっては、レッグに設けられている、ねじのための貫通開口はまた、相補的なラッチング形状として機能してもよく、貫通開口内でラッチング・フックは係合することができる。第１の舌要素の設計は、有利には、第１の舌要素が挿入を支援するように開口の領域における受容空間を広げることにより、レッグ対をクリップ要素の受容部または受容空間内に挿入するのを容易にしてもよい。
【００１３】
特に好ましい実施形態では、クリップ要素の固定部は、少なくとも１つのタブおよび場合によっては第２の舌要素を有する。少なくとも１つのタブは、固定空間の方向に配向され、任意選択の第２の舌要素は、固定空間から離れるように導かれてもよい。この種の固定部を介して、クリップ要素を対応する構成要素に高い信頼性で固定することを達成できる。特に、タブは、固定空間内に少なくとも部分的に挿入された構成要素に、クリップ要素をより良好に固定するのを確実にし、意図しない解放を妨げる。第２の舌は、存在する場合、固定空間の開口に位置し、固定空間から離れるように導かれ、これのために提供される構成要素にクリップ要素をより容易に取り付けるための一種の挿入支援として機能する。なぜなら、第２の舌は、開口領域を拡大するからである。
【００１４】
本発明のさらなる変形例は、固定部および受容部が実質的に平行にかつ互いに隣接して配置されるように、固定部と受容部との間にクリップ要素がＵ形状に形成されるようにする。クリップ要素のこの設計は、固定部の開口および受容部の開口が同じ方向を指すという利点を有する。この変形例は、パイプ形状またはチューブ形状の物体を構成要素に固定する際に起こりうる、考えられるあらゆる空間の問題を解決することができる。
【００１５】
固定空間が固定部のベース面と受容部のガイド要素の自由端との間に形成されるようにさらになっていてもよい。この設計は、固定部および受容部が互いに隣接して並ぶＵ形状の屈曲を有するクリップ要素の場合、とりわけ好ましい。本発明による固定空間のこの設計の利点は、ガイド要素の自由端がまた、現在、それぞれの側において受容空間および固定空間の終端として機能し、それによって、クリップ要素の安定性およびそれゆえ剛性が増加する、ということである。さらに、この設計によって、クリップ要素の製造における材料を削減することができる。
【００１６】
少なくとも１つのタブが固定部のベース面上に配置される場合、さらに有利な結果となる。タブは、単純な方法で、少なくとも部分的に固定空間内に挿入された構成要素に対する比較的高いクランピング効果を及ぼすことができ、クリップを有するクリップ要素を構成要素上に確実に保持することができる。構成要素が、タブに対応する、および、タブが係合する固定形状を有するようになっていてもよい。クリップ要素の固定部のベース面は、特に、１つまたは複数のタブが固定空間内に突出する金属またはプラスチックのプレートとして構成されてもよい。
【００１７】
さらなる改良は、クリップ要素の固定部が、ベース・レッグおよび外側レッグを有するＵ形状の囲いとして形成され、ベース・レッグおよび外側レッグが、固定空間の境界を定めるようにする。固定サイトの空間条件に関して、この実施形態は、固定部の開口および受容部の開口が異なる方向を指さなければならない場合、特に互いの方を指さなければならない場合、特に有利である。この種の場合、本発明によって、外側レッグおよびベース・レッグを有するように構成される固定部はまた、固定空間を提供し、固定空間は、クリップ要素の固定、およびそれゆえ、構成要素に対するクリップの固定の改良を達成する。
【００１８】
好ましくは、ベース・レッグおよび外側レッグはともに、Ｕ形状の囲いの領域よりも、固定空間の領域において、近くに位置するようになっている。この形状は、固定空間の改良されたクランピング効果を確実にする。なぜなら、外側レッグとベース・レッグとの間に少なくとも部分的に導入された構成要素上のクランピングを増加させ、それによって、また、固定する構成要素のより大きなクランプ力を達成するからである。
【００１９】
構造的に、少なくとも１つのタブが固定部の外側レッグ上に配置される場合、有利である。このようにして設計される固定部は、クリップ要素を構成要素に固定する際の改良を確実にする。構成要素が、例えば、固定部のタブがラッチ係合されうる対応する固定形状を有するようになっていてもよい。
【００２０】
本発明を改良するさらなる手段は、図面に示される本発明の２つの好ましい例示的実施形態の説明とともに後述される。
【図面の簡単な説明】
【００２１】
【図１】クリップ要素を有し、パイプ形状またはチューブ形状の物体を固定するためのクリップの斜視図である。
【図２】Ｕ形状の囲いを有するクリップ要素の例示的実施形態の拡大斜視図である。
【図３】クリップ要素の代替的な例示的実施形態の斜視図である。
【発明を実施するための形態】
【００２２】
図１は、クリップ要素４を有し、パイプ形状またはチューブ形状の物体を固定するためのクリップ１を斜視図で示す。クリップ１は、クリップ・バンド２およびレッグ対３を有し、クリップ要素４は、ラッチング機構を介してレッグ対３にラッチ係合され、レッグ対３は、クリップ要素４の受容部７内に受容される。クリップ要素４は、一体の屈曲部品として製造され、例えば金属材料、例えばばね鋼を備える。受容部７に加えて、クリップ要素は、クリップを構成要素に固定するように機能する固定部５を有する。受容部７は、レッグ対３を実質的に完全に囲むので、クリップ要素４は、形状嵌めによってクリップ１に接続される。
【００２３】
受容部７は、ベース面９を有し、ラッチング・フック１０は、クリップ要素４をレッグ対３により良好に固定するために、ベース面９から折り曲げられる。ラッチング・フック１０は、レッグ対３におけるカットアウト（図示せず）とともにラッチング機構を形成してもよい。また、ガイド要素１３は、受容部７のベース面９の２つの側に隣接する。ガイド要素１３は、ベース面９とともに、レッグ対３が挿入される受容空間８を形成し、図１に示される例示的実施形態のガイド要素１３は、受容空間８の方向に直角に屈曲する自由端１４を有する。受容空間８の開口の領域において、ベース面９は、第１の舌要素１２に変化し、第１の舌要素１２は、受容空間８の反対方向に屈曲し、それゆえ、開口を拡大する。このようにして、レッグ対３の挿入が容易になる。
【００２４】
クリップ１を構成要素（図示せず）に固定するように機能する固定部５は、クリップ要素４の受容部７に隣接する。図１に示される例では、固定部５および受容部７は、実質的に平行にかつ互いに隣接して配置されるように、Ｕ形状に屈曲する。固定部５は、第２の舌要素１５を有する固定空間６と、少なくとも１つのタブ１６と、を有する。図示例では、２つのタブ１６は、固定部５上に設けられ、１つのタブ１６のみを見ることができる。タブ１６は、固定部５のベース面の２つの対向する長辺上に配置される。長辺上のタブ１６のこの配置は、クリップ要素４が、固定空間内に少なくとも部分的に挿入される構成要素上に保持されることを保証する。なぜなら、固定空間６は、現在、その開口を除いて全方向に、すなわち、固定部５のベース面によって、横方向に配置されたタブ１６によって、Ｕ形状の囲いによって、および、ベース面の反対方向における受容部７の屈曲した自由端１４によって境界が定められるからである。受容空間８における第１の舌要素１２と同じように、第２の舌要素１５は、固定空間６の場合の開口を拡大するように機能し、それゆえ、構成要素の挿入を容易にする。
【００２５】
図２は、図１のクリップ要素４の例示的実施形態を拡大斜視図で示す。クリップ１は図２に示されない。クリップ要素４は、受容空間８を有する受容部７と、固定空間６を有する固定部５と、を有する。レッグ対３が受容空間８内に挿入されるとき、ラッチング・フック１０はレッグ対３に係合し、それによって、クリップ要素４はクリップ１に固定され、クリップ要素４は、レッグ対のレッグを互いに対して押圧する。このようにして、クリップは、閉鎖状態において固定される。受容部７はまた、屈曲した第１の舌要素１２と、屈曲した自由端１４を有する横方向のガイド要素７と、を有し、ガイド要素７によって、レッグ対３は、ラッチング・フック１０にガイドされる。さらに、ガイド要素７は、レッグ対３を形状嵌めによって位置決めするように機能する。
【００２６】
図２は、固定部５のベース面の長辺上に形成されるタブ１６をさらに示す。これらのタブは、固定空間６内に突出し、クリップ要素４を構成要素に固定するように機能し、構成要素は、固定空間６内に少なくとも部分的に挿入される。ここで、タブ１６は、ラッチング手段またはクリップ手段として機能し、押し嵌めおよび／または形状嵌めによってクリップ要素４を構成要素上に保持する。固定空間６は、その開口の領域において舌要素１５を有する。第２の舌要素１５はまた、クリップ要素４を構成要素に単純に取り付けるのを確実にする。
【００２７】
図３は、受容部７と固定部５との間にＵ形状が形成されないクリップ要素４の代替的な例示的実施形態を斜視図で示す。しかしながら、図示の例示的実施形態は、受容部７から固定部５への移行領域においてＳ形状の屈曲を有し、それによって、受容部７のベース面９および固定部５のベース面は、正確に１つの平面には存在せず、互いに対してわずかにオフセットする。ここで、クリップ要素４は、Ｕ形状の囲い１７を有する固定部５を有し、固定部５は、ベース・レッグ１８および外側レッグ１９を有する。ベース・レッグ１８および外側レッグ１９は、固定空間６の境界を定める。ここで、ベース・レッグ１８および外側レッグ１９は、互いに正確に平行して延在するわけではない。むしろ、ベース・レッグ１８と外側レッグ１９との間の距離は、固定空間６の開口の方向に減少する。これは、固定部５の可能なクランピング効果を増加させる。
【００２８】
図３の実施形態の受容部７の第１の舌要素１２は、ガイド要素の屈曲した自由端１４によって形成される。
【００２９】
本発明は、その実施態様が上述した好ましい例に制限されるものではない。むしろ、異なる実施形態において、提示された解決法を利用する多くの変形例が考えられる。設計の詳細または空間配置を含む、請求項、明細書または図面から生じるすべての特徴および／または利点は、単独で、および、非常に多種多様な組み合わせで本発明の本質になりうる。
【符号の説明】
【００３０】
１  クリップ
２  クリップ・バンド
３  レッグ対
４  クリップ要素
５  固定部
６  固定空間
７  受容部
８  受容空間
９  ベース面
１０  ラッチング・フック
１１  挿入口
１２  第１の舌要素
１３  ガイド要素
１４  自由端
１５  第２の舌要素
１６  タブ
１７  Ｕ形状の囲い
１８  ベース・レッグ
１９  外側レッグ
【図１】
0006942880.tif 000002
【図２】
0006942880.tif 000003
【図３】
0006942880.tif 000004